(57)【特許請求の範囲】
【請求項１】
光束を出射する光源と、
前記光源よりの光束のうち、所定の波長の光束を通過させる波長設定用フィルタと、
前記波長設定用フィルタよりの光束を所定の振動方向の直線方向とする偏光子と、
前記偏光子よりの直線偏光の偏光方向を変調するファラデーセルと、
試料が充填され、前記ファラデーセルよりの光束が該試料を通過するように配置されたセルと、
前記偏光子に対し所定の角度で配置され、前記試料を通過した光束のうち、一定角度の偏光面を有する光束を通過させる検光子と、
前記検光子を通過した光束の光量を検出する検出器と、
を備え、波長の異なる前記波長設定用フィルタを交換可能な多波長旋光計において、
前記波長設定用フィルタの波長ごとに、所定の識別信号を出力可能なフィルタセンサと、
前記フィルタセンサよりの識別信号を基に、前記多波長旋光計の所定の光路中に配置された波長設定用フィルタの波長を認識する認識手段と、
前記波長設定用フィルタの交換前後で前記ファラデーセルの変調角度が変わらないように、前記認識手段により認識された波長設定用フィルタ波長に基づいて、該ファラデーセルに流す電流を最適化する電流最適化手段と、
を備えたことを特徴とする多波長旋光計。
【請求項２】
請求項１記載の多波長旋光計において、前記波長設定用フィルタを、所定の光路中に保持可能なホルダを備え、
前記フィルタセンサは、前記波長設定用フィルタの波長ごとに、前記ホルダの所定の部位に設けられた認識孔と、
前記認識孔に認識光を入射可能な発光素子と、
前記認識孔を間に挟み前記発光素子の反対側に設けられ、該認識孔を介した前記発光素子よりの認識光を受光可能で、該受光の有無を前記認識手段に出力可能な受光素子と、
を備えたことを特徴とする多波長旋光計。
【請求項３】
請求項１記載の多波長旋光計において、前記波長設定用フィルタを、所定の光路中に保持可能なホルダを備え、
前記フィルタセンサは、前記波長設定用フィルタの波長ごとに、前記ホルダの所定の部位に設けられた凹凸と
前記凹凸を検知して、前記判断手段に出力可能な凹凸センサと、
を備えたことを特徴とする多波長旋光計。
【請求項４】
請求項１〜３のいずれかに記載の多波長旋光計において、前記波長設定用フィルタを、所定の光路中に保持可能なホルダを備え、
前記フィルタセンサは、前記波長設定用フィルタの波長ごとに、前記ホルダの所定の部位に設けられた磁石と、
前記磁石よりの磁気の有無を検知して、前記認識手段に出力可能な磁気センサと、
を備えたことを特徴とする多波長旋光計。
【請求項５】
請求項１〜４のいずれかに記載の多波長旋光計において、前記光源として、種類の異なる光源を二以上同時搭載し、
前記認識手段で得られた測定波長に最適な光源を前記二以上の光源より選択して、使用できるようにする切替手段を備えたことを特徴とする多波長旋光計。
【請求項６】
請求項１〜５のいずれかに記載の多波長旋光計において、前記認識手段で得られた測定波長情報を外部に出力可能な出力手段を備えたことを特徴とする多波長旋光計。
【請求項７】
請求項１〜６のいずれかに記載の多波長旋光計において、測定波長ごとに、最適な前記ファラデーセルの電流を決定するためのプログラムを格納する電流決定プログラム格納手段を備え、
前記電流最適化手段は、前記電流決定プログラム格納手段に格納されたプログラムに従い、前記認識手段で得られた測定波長に最適なファラデーセルの電流を決定することを特徴とする多波長旋光計。
【請求項８】
請求項１〜７のいずれかに記載の多波長旋光計において、クロストニコル状態が得られるように、前記偏光子の偏光方向と前記検光子の透過軸方向とのなす角度を調節する調節手段と、
前記検出器からの信号のうち、前記ファラデーセルの変調周波数と同じ周波数の信号に基づいて、前記調節手段を駆動するための駆動回路と、
前記認識手段で得られた測定波長を基に、前記駆動回路のゲインを最適化するゲイン最適化手段と、
を備えたことを特徴とする多波長旋光計。
【請求項９】
請求項８記載の多波長旋光計において、測定波長ごとに、最適な前記駆動回路のゲインを決定するためのプログラムを格納するゲイン決定プログラム格納手段を備え、
前記ゲイン最適化手段は、前記ゲイン決定プログラム格納手段に格納されたプログラムに従い、前記認識手段で得られた測定波長に最適な、前記駆動回路のゲインを決定することを特徴とする多波長旋光計。
【発明の詳細な説明】
【０００１】
【発明の属する技術分野】
本発明は多波長旋光計、特に波長設定用フィルタの種類の認識機構に関する。
【０００２】
【従来の技術】
各種有機物質は直線偏光の偏光面を回転させる性質をもっている。このような旋光度を測定することにより、物質の同定あるいは光学異性体の識別等を行うことができる。
図１には、このような旋光度を測定するための旋光計が示されている。
同図において、光源１０の発光方向前方には、スリット１２が設けられ、スリット１２により所定の直線偏光となった光束は、スリット１２の前方に設けられたレンズ１４を通過する。
【０００３】
レンズ１４を通過した光束は平行光線となり、レンズ１４の前方に設けられた波長設定用フィルタ１６を通過する。
波長設定用フィルタ１６を通過した光束は、所定の波長の光束となり、フィルタ１６の前方に設けられた偏光子１８を通過する。
偏光子１８を通過した光束は、所定の振動方向の直線偏光となり、偏光子１８の前方に設けられたファラデーセル２０を通過する。
【０００４】
このファラデーセル２０は、何層にも巻かれたコイルにて形成されている。このコイルには、交流電流を流す発振回路２２が設けられている。
前記直線偏光は、ファラデーセル２０によりその偏光面が変調される。
ファラデーセル２０を通過した光束は、試料が充填されたセル２４に入り、その充填試料を通過したのち、検光子２６を通過する。
【０００５】
この検光子２６は、偏光子１８の偏光方向と検光子２６の透過軸方向とが直交するように角度調節して設置されている。
すなわち、メインアンプ２８等を介した発振回路２２よりの偏光子１８の偏光方向情報を基に、サーボアンプ３０等の駆動回路がサーボモータ３２等の調節手段を駆動する。このサーボモータ３２の駆動力をギア３４を介して検光子２６に伝達して、偏光子１８の偏光方向と検光子２６の透過軸方向とが直交するようにしている。
【０００６】
より具体的には、前置アンプ３８よりの出力信号は、メインアンプ２８により発振回路２２よりの参照信号と同期して、発振回路２２と同じ周波数の信号成分と位相を検出して最適条件で増幅され、この信号と位相でサーボアンプ３０がサーボモータ３２を駆動することにより、ギヤ３４に組み込まれた検光子２６を発振回路２２と同じ周波数の信号がなくなるまで回転する。すなわち、常に偏光子１８と検光子２６とをクロストニコル状態に保つことにより、試料の旋光角度の測定が可能となる。
【０００７】
この検光子２６を通過した光が検出器３６に入射される。
検出器３６は、例えば光電子増倍管等よりなる。この光電子増倍管等の検出器３６の出力電圧を適正にコントロールするため、前置アンプ３８、参照用アンプ４０，光電子倍増管用高圧電源４２の電気信号を検出器３６にフィードバックしている。
【０００８】
より具体的には、前置アンプ３８の出力信号の２ｆＨｚ成分（変調周波数の２倍の周波数の信号成分）を、参照用アンプ４０で増幅し、光電子増倍管用高圧電源４２に入力することにより、前記２ｆＨｚ信号成分（変調周波数の２倍の周波数の信号成分）が所定の値になるように制御している。
ここで、光電子増倍管はその印加電圧で感度が異なり、光電子増倍管用高圧電源４２を信号フィードバック回路、つまり検出器３６、前置アンプ３８、参照用アンプ４０等に組み込むことにより、変調周波数の２倍の周波数の信号成分を所定の値に保つことが可能になる。
【０００９】
検出器２６で得られた電気信号に基づき、前置アンプ３８、インタフェース４４等を介して中央演算処理ユニット（以下、ＣＰＵ４６という）等により旋光度が求められている。
以上のように構成された旋光計により、旋光度を測定することができる。
ところで、このような旋光度を高感度に測定するためには、試料に応じて測定波長を設定しなければならない。
【００１０】
このような測定波長を設定する手段として、前記波長設定用フィルタを用いている。
しかしながら、このような波長設定用フィルタを旋光計の所定の光路中へ固定配置している単一波長の旋光計では、情報量が少ないため、感度が劣るという点が問題視されていた。
【００１１】
したがって、高度な情報を得るため、測定波長を拡大した旋光分散計を用いることも考えられるが、非常に高価であるため、一般に採用するに至らなかった。
そこで、測定波長を安価に拡大するため、波長の異なる波長設定用フィルタを交換可能な多波長の旋光計が注目されている。
【００１２】
このような多波長旋光計を用いると、単一波長の旋光計では、測定が困難な試料であっても、測定波長を変えることにより、測定を可能にして、従来は知られていない試料に関する知見を得ることを可能にしている。
また、有効な医薬品に関する情報提供も可能となり、薬効の評価に関する情報も提供することができる。
【００１３】
【発明が解決しようとする課題】
しかしながら、従来の多波長旋光計にあっても、波長設定用フィルタを交換する際は、使用者はそのフィルタの種類、すなわち波長を認識しなければならない。また、その波長に適したハードウェア設定等をしなければならないため、以下に示す不具合があった。
【００１４】
すなわち、従来の多波長の旋光計では、使用者が使用している波長設定用フィルタの種類、すなわち測定波長を認識しなければならない。
しかしながら、使用者が測定波長を誤認識してしまうと、測定データを間違った波長で処理してしまうので、分析結果の信頼性を充分に確保することができなかった。
また、多波長旋光計では、波長設定用フィルタを交換して、測定波長を変えた時は、測定を適正に行うため、使用している波長設定用フィルタの種類、すなわちその波長に適したハードウェア設定をしなければならない。
【００１５】
たとえば、前述のように常に偏光子１８と検光子２６とをクロストニコル状態に保つことにより、試料の旋光角度の測定が可能となるが、このようなフィードバック機構を最適条件で機能させるためには、常に最適なゲイン設定が必要になる。
すなわち、ゲインが高すぎるとハンチング状態になり、ゲインが低すぎると、不感帯が大きくなり、精度の高い測定が不可能になる。測定波長を変えた時、光学的な条件が異なるため、波長を認識し、このゲインを最適化することが求められている。
【００１６】
しかしながら、従来の多波長旋光計では、使用者が測定波長を誤認識してしまうと、間違った波長でハードウェア設定をしてしまうので、測定を適正に行うのが非常に困難であった。
本発明は前記従来技術の課題に鑑みなされたものであり、その目的は測定波長の認識及びその波長に適したハードウェア設定等のミスを低減することのできる多波長旋光計を提供することにある。
【００１７】
【課題を解決するための手段】
前記目的を達成するために本発明にかかる多波長旋光計は、フィルタセンサと、認識手段と、電流最適化手段と、を備えたことを特徴とする。
ここで、前記フィルタセンサは、前記波長設定用フィルタの波長ごとに、所定の識別信号を出力可能なものである。
また、前記認識手段は、前記フィルタセンサよりの識別信号を基に、前記多波長旋光計の所定の光路中に配置された波長設定用フィルタの波長を認識する。
前記電流最適化手段は、前記波長設定用フィルタの交換前後で前記ファラデーセルの変調角度が変わらないように、前記認識手段により認識された波長設定用フィルタ波長に基づいて、該ファラデーセルに流す電流を最適化する。
【００１８】
なお、前記多波長旋光計において、前記波長設定用フィルタを、所定の光路中に保持可能なホルダを備え、前記フィルタセンサは、認識孔と、発光素子と、受光素子と、を備えることが好適である。
ここで、前記認識孔は、前記波長設定用フィルタの波長ごとに、前記ホルダの所定の部位に設けられている。
また、前記発光素子は、前記認識孔に認識光を入射可能なものである。
前記受光素子は、前記認識孔を間に挟み前記発光素子の反対側に設けられ、該認識孔を介した前記発光素子よりの認識光を受光可能で、該受光の有無を前記認識手段に出力可能なものである。
【００１９】
また、前記多波長旋光計において、前記波長設定用フィルタを、所定の光路中に保持可能なホルダを備え、前記フィルタセンサは、凹凸と、凹凸センサと、を備えることも好適である。
ここで、前記凹凸は、前記波長設定用フィルタの波長ごとに、前記ホルダの所定の部位に設けられている。
また、前記凹凸センサは、前記凹凸を検知して、前記判断手段に出力可能なものである。
【００２０】
また、前記多波長旋光計において、前記波長設定用フィルタを、所定の光路中に保持可能なホルダを備え、前記フィルタセンサは、磁石と、磁気センサと、を備えることも好適である。
ここで、前記磁石は、前記波長設定用フィルタの波長ごとに、前記ホルダの所定の部位に設けられている。
前記磁気センサは、前記磁石よりの磁気の有無を検知して、前記認識手段に出力可能なものである。
【００２１】
また、前記多波長旋光計において、前記光源として、種類の異なる光源を二以上同時搭載し、前記認識手段で得られた測定波長に最適な光源を前記二以上の光源より選択して、使用できるようにする切替手段を備えることも好適である。
また、前記多波長旋光計において、前記認識手段で得られた測定波長情報を外部に出力可能な出力手段を備えることも好適である。
ここにいう認識手段で得た測定波長情報を外部に出力するとは、具体的には、前記認識手段で得られた測定波長をディスプレイ等の表示手段に表示すること、プリンタ等の印字手段により測定データの一部として印字すること等をいう。
【００２２】
また、前記多波長旋光計において、前記波長設定用フィルタを交換した時、その交換前後で前記ファラデーセルの変調角度が変わらないように、該ファラデーセルの電流を最適化する電流最適化手段を備えることも好適である。
また、前記多波長旋光計において、測定波長ごとに、最適な前記ファラデーセルの電流を決定するためのプログラムを格納する電流決定プログラム格納手段を備え、前記電流最適化手段は、前記電流決定プログラム格納手段に格納されたプログラムに従い、前記認識手段で得られた測定波長に最適なファラデーセルの電流を決定することも好適である。
【００２３】
また、前記多波長旋光計において、調節手段と、駆動回路と、ゲイン最適化手段と、を備えることも好適である。
ここで、前記調節手段は、クロストニコル状態が得られるように、前記偏光子の偏光方向と前記検光子の透過軸方向とのなす角度を調節する。
また、前記駆動回路は、前記検出器からの信号のうち、前記ファラデーセルの変調周波数と同じ周波数の信号に基づいて、前記調節手段を駆動するためのものである。
【００２４】
前記ゲイン最適化手段は、前記認識手段で得られた測定波長を基に、前記駆動回路のゲインを最適化する。
さらに、多波長旋光計において、測定波長ごとに、最適な前記駆動回路のゲインを決定するためのプログラムを格納するゲイン決定プログラム格納手段を備え、
前記ゲイン最適化手段は、前記ゲイン決定プログラム格納手段に格納されたプログラムに従い、前記認識手段で得られた測定波長に最適な、前記駆動回路のゲインを決定することも好適である。
【００２５】
【発明の実施の形態】
以下、図面に基づき本発明の好適な実施形態を説明する。
図２には、本発明の一実施形態にかかる多波長旋光計において特徴的なホルダの概略構成が示されている。
なお、前記図１と対応する部分には、符号１００を加えて示し説明を省略する。
【００２６】
まず、本発明において特徴的なことは、測定波長を変えるために波長設定用フィルタを交換した時、そのフィルタの種類、すなわち測定波長の自動認識を可能にしたことである。
このために本実施形態においては、ホルダ１４８と、フィルタセンサと、認識手段を含む。
【００２７】
同図において、前記ホルダ１４８は、波長設定用フィルタ１１６を保持可能なホルダである。このホルダ１４８には、波長設定用フィルタ１１６の一部をホルダ外部に表出するための測定孔１４８ａが設けられている。
前記フィルタセンサは、波長設定用フィルタ１１６の波長の種類ごとに、所定の識別信号を出力可能である。
【００２８】
図３には図２に示すホルダを所定の光路中に配置した時の概略構成が示されている。
同図において、このフィルタセンサは、認識孔Ｄ１〜Ｄ４と、発光素子１５０と、受光素子１５２を含む。
前記認識孔Ｄ１〜Ｄ４は、例えば認識孔Ｄ１、Ｄ２、Ｄ３は光を通過することができるように開、認識孔Ｄ４は光を遮断することができるように閉としている。
【００２９】
発光素子１５０は、このようなホルダ１４８を所定の光路中に配置した時、認識孔Ｄ１〜Ｄ４に認識光を発光している。
前記受光素子１５２は、開の認識孔、例えば認識孔Ｄ１〜Ｄ３を介した発光素子１５０よりの認識光を受光可能で、該受光の有無を後述する認識手段に出力している。
【００３０】
前記認識手段は、例えばＣＰＵ１４６とＲＳ−２３２Ｃに準拠したシルアルインタフェース１５４を介して接続された外部コントローラ１５６に内蔵の中央演算処理ユニット（以下、ＣＰＵ１５８という）と、測定波長と認識孔との対応情報を格納しているＲＡＭ１６０よりなり、ＣＰＵ１５８はフィルタセンサからの識別信号を基に、ＲＡＭ１６０の測定波長と認識孔との対応情報よりフィルタの種類、すなわち測定波長を認識している。
表１に、前記ＲＡＭ１６０に格納されている測定波長と認識孔との対応情報の一例を示す。
【００３１】
【表１】
――――――――――――――――――――――――――――――――――――
波長（ｎｍ）   認識孔                    光源
――――――――――――――――――――――――――――――――――――
８８０          ●    ●    ●    ○      ハロゲンランプ
――――――――――――――――――――――――――――――――――――
６３３          ●    ●    ○    ●      ハロゲンランプ
――――――――――――――――――――――――――――――――――――
５８９          ○    ○    ○    ○      ナトリウムランプ
――――――――――――――――――――――――――――――――――――
５７７          ●    ●    ○    ○      水銀ランプ
――――――――――――――――――――――――――――――――――――
５４６          ●    ○    ●    ●      水銀ランプ
――――――――――――――――――――――――――――――――――――
４３５          ●    ○    ●    ○      水銀ランプ
――――――――――――――――――――――――――――――――――――
４０５          ●    ○    ○    ●      水銀ランプ
――――――――――――――――――――――――――――――――――――
３６５          ●    ○    ○    ○      水銀ランプ
――――――――――――――――――――――――――――――――――――
３３４          ○    ●    ●    ●      水銀ランプ
――――――――――――――――――――――――――――――――――――
３２５          ○    ●    ●    ○      ハロゲンランプ
――――――――――――――――――――――――――――――――――――
３１３          ○    ●    ○    ●      水銀ランプ
――――――――――――――――――――――――――――――――――――
３０２          ○    ●    ○    ○      水銀ランプ
――――――――――――――――――――――――――――――――――――
２９６          ○    ○    ●    ●      水銀ランプ
――――――――――――――――――――――――――――――――――――
２８０          ○    ○    ●    ○      水銀ランプ
――――――――――――――――――――――――――――――――――――
２５３          ○    ○    ○    ●      水銀ランプ
――――――――――――――――――――――――――――――――――――
ユーザ          ●    ●    ●    ●      オプション
――――――――――――――――――――――――――――――――――――
【００３２】
ただし、同表において、○は認識孔が開を、●は閉を、それぞれ示す。
例えば、受光素子１５２により、認識孔Ｄ１〜Ｄ３を介した発光素子１５０よりの認識光の受光を検知した時、ＣＰＵ１５８は、ＲＡＭ１６０の同表を基に、使用しているフィルタ１１６の種類を３６５ｎｍと自動認識する。
【００３３】
このように波長設定用フィルタ１１６を交換すると、認識孔、発光素子１５０および受光素子１５２等のフィルタセンサならびにＣＰＵ１５８等の認識手段により、使用しているフィルタ１１６の種類、すなわち測定波長が自動的に認識される。
【００３４】
このため、そのような工夫のないものに比較し、波長設定用フィルタ１１６を交換した時、測定波長の認識のミスを大幅に低減して、分析結果の信頼性を確保することを可能にする。また、操作容易化を図ることも可能にする。
そして、本実施形態においては、ＣＰＵ１５８が測定波長を認識すると、これを出力手段により外部に出力可能にしている。
【００３５】
このために外部コントローラ１５６には、液晶ディスプレイ等の表示手段１６２と、該ディスプレイ上に設けられたタッチパネル、コントローラ本体に設けられたファンクションキー等の入力手段１６４を含む。
また、このコントローラ１５６には、プリンタ用インタフェース（図示省略）を介してプリンタ１６６が接続されている。
【００３６】
したがって、測定波長を自動認識すると、ＣＰＵ１５８は、測定波長を表示手段１６２の画面に表示すると共に、測定データの一部としてプリンタ１６６によりプリントアウトしている。
また、本実施形態においては、測定波長を自動認識すると、ＣＰＵが以下に示すハードウェア設定を自動的に行っている。
【００３７】
例えば、本実施形態において、旋光度測定用の光源１１０として、例えばナトリウムランプ１１０ａと水銀ランプ１１０ｂを同時搭載しており、切替手段により使用光源を切り替えている。
具体的には、前記切替手段は、ナトリウムランプ１１０ａまたは水銀ランプ１１０ｂを使用することができるようにするための駆動部１６８と、駆動回路１７０と、ＣＰＵ１５８等の制御回路よりなる。
【００３８】
そして、認識した測定波長を基に、ＣＰＵ１５８は、駆動部１６８、駆動回路１７０の動作を制御して、使用光源を、ナトリウムランプ１１０ａまたは水銀ランプ１１０ｂに切り替えている。
このようなＣＰＵ１５８が実行する光源１１０の切替処理について、より詳細に説明する。
具体的には、外部コントローラ１５６には、各種ＰＣカード１７２を差し込むためのスロットが設けられている。
【００３９】
このＰＣカード１７２には、例えば測定条件やデータの保存ができるデータメモリカードや測定データに対して各種演算処理が施せる自由計算カード等が用いられる。
そして、まず、どの波長で、どの光源を用いるかを予め決めておき、これをデータメモリカード等のＰＣカード１７２に格納しておくのである。
そして、ＣＰＵ１５８が使用しているフィルタの種類を認識すると、このＣＰＵ１５８は、ＰＣカード１７２等の光源情報にアクセスして、その波長に最適な光源を選択する。
【００４０】
選択後、ＣＰＵ１５８は、駆動部１６８、駆動回路１７０を駆動して、使用光源を切り替える。
例えば、ＣＰＵ１５８が使用フィルタの種類を３６５ｎｍと認識すると、ＰＣカード１７２に前記表１に示すような光源情報が格納されている場合には、水銀ランプを選択して使用できるように切り替える。
【００４１】
このように本実施形態においては、ナトリウムランプ、水銀ランプ等の種類の異なる光源を同時搭載して、測定波長を自動認識すると、使用光源を切替手段により自動的に切り替えることにより、そのような工夫のないものに比較し、測定波長を変えて、光源を変える時の操作容易化を図ることを可能にする。
【００４２】
つぎに、ＣＰＵ１５８が実行するサーボアンプ１３０等の駆動回路のゲインの最適化処理について説明する。
すなわち、予め、測定波長ごとに、最適なサーボアンプ１３０のゲインを採取して、例えば最適ゲインを決定するためのプログラム等の記憶されているＰＣカード１７２等のゲイン決定プログラム格納手段に格納しておく。
格納後、ＣＰＵ１５８等が前述のようにして使用しているフィルタ１１６の種類を認識すると、ＣＰＵ１５８等のゲイン最適化手段が、ＰＣカード１７２等のゲイン決定プログラム格納手段のプログラムに従い、その測定波長に最適なゲインを決定する。
【００４３】
決定後、測定の開始を指示する測定開始指示信号が入力手段１６４等より入力されると、ＣＰＵ１５８は、前述のようにして決定した最適ゲインでサーボアンプ１３０を制御する。
このように、本実施形態においては、サーボアンプゲイン等のハードウェア設定を最適化する手段を備えることにより、測定波長を変えるために波長設定用フィルタを交換すると、自動的にハードウェア設定が最適化される。
このため、そのような工夫のないものに比較し、測定波長に適したハードウェア設定等のミスを大幅に低減して、旋光度測定を、より高精度、高感度に行うことを可能にする。
【００４４】
以上のように本発明の一実施形態にかかる多波長旋光計によれば、前述のようにフィルタセンサおよび認識手段を備えるので、測定波長を変えるために波長設定用フィルタを交換すると、使用しているフィルタの種類が自動的に認識される。
このため、そのような工夫のないものに比較し、波長設定用フィルタを交換した時、測定波長の認識およびその波長に適したハードウェア設定等のミスを大幅に低減して、分析結果の信頼性を確保することができる。また、操作容易化を図ることもできる。
【００４５】
また、ナトリウムランプ、水銀ランプ等の異なる種類の光源を同時搭載して、認識手段で得られた測定波長を基に、切替手段により使用する光源を選択的に切り替えるため、使用している光源を取り外して、測定波長に適した光源と交換するものに比較し、操作容易化を図ることができる。
また、認識手段で得られた測定波長を、画面に表示すると共に、測定データの一部としてプリントアウトするので、使用者は測定波長を容易に確認することができる。
【００４６】
また、認識手段で得られた測定波長を基に、サーボアンプの最適ゲイン等のハードウェア設定を最適化する手段を備えることにより、波長設定用フィルタを交換すると、自動的にハードウェア設定を最適化することができる。
このため、そのような工夫のないものに比較し、測定波長に適したハードウェア設定等のミスを大幅に低減して、旋光度測定を、より高精度、高感度に行うことができる。
【００４７】
なお、本発明の多波長旋光計としては、前記実施形態に限定されるものでなく、発明の趣旨の範囲内で種々の変形が可能である。
例えば、前記実施形態においては、フィルタセンサに認識孔、発光素子およびその受光素子を用いた例について説明したが、これに限られるものでなく、図４〜図５に示すような機構でもよい。
なお、図４において、前記図３と対応する部分には符号１００を加えて示し説明を省略する。
【００４８】
同図において、フィルタセンサは、凹凸２７４と、凹凸センサ２７６を含む。
前記凹凸２７４は、波長設定用フィルタ２１６の種類ごとに、ホルダ２４８の所定の部位に設けられている。
例えば、波長設定フィルタ２１６の波長が３６５ｎｍの場合、凸部２７４ａ〜ｃ、凹部２７４ｄが設けられている。
【００４９】
前記各凹凸センサ２７６は、前記凹凸２７４が設けられているホルダを旋光計の所定の光路中に配置した時、凸部２７４ａ〜２７４ｃによりスイッチオンされ、凹部２７４ｄによりスイッチオフされるようにしている。
そして、このようなスイッチオン、オフによる識別信号が、インタフェース２４４、ＣＰＵ２４６、インターフェース２５４を介して、ＣＰＵ２５８に入力される。
【００５０】
したがって、ＣＰＵ２５８は、この識別信号を基に、フィルタ２１６の種類を認識する。
このような凹凸２７４および凹凸センサ２７６等のフィルタセンサを用いることにより、前記図３に示したフィルタセンサと同様、ホルダ２４８を光学系の所定の光路中へ配置するのみで、フィルタ２１６の種類の識別信号が自動的にＣＰＵ２５８等の認識手段に送られ、認識されるので、使用しているフィルタ２１６の種類を自動認識することができる。
【００５１】
また、前記フィルタセンサとして図５に示すような機構を用いることもできる。
なお、前記図３と対応する部分には符号２００を加えて示し説明を省略する。
同図において、フィルタセンサは、磁石３７８と、磁気センサ３８０を含む。
前記磁石３７８は、波長設定用フィルタの種類ごとに、ホルダ３４８の所定の部位に設けられている。
例えば、波長設定フィルタの波長が３６５ｎｍの場合、磁石３７８ａ〜３７８ｃが設けられている。
【００５２】
前記磁気センサ３８０は、このようなホルダ３４８を旋光計の所定の光路中に配置した時、磁石３７８よりの磁気の有無を検知している、
そして、このような磁気の有無により磁石の配置がＣＰＵ３５８等の認識手段に入力される。
したがって、ＣＰＵ３５８は、この識別信号を基に、フィルタの種類を自動的に認識することができる。
【００５３】
このようなフィルタセンサを用いることにより、前記図３に示したフィルタセンサと同様、ホルダを光学系の所定の光路中に配置するのみで、波長設定用フィルタの種類の識別信号が自動的にＣＰＵ３５８等の認識手段へ送られ、認識されるので、使用しているフィルタの種類の認識を可能にする。
また、前記各実施形態は、フィルタの種類を自動認識する時期を、限るものでない。
【００５４】
例えば、旋光計本体の電源をＯＮして起動した時に、フィルタの種類を自動認識するようにしてもよい。
また、電源ＯＮ中は、常にフィルタの自動認識機能を働かしておいて、使用しているフィルタを交換した時は、システムを再起動することなく、ＣＰＵ等が前記フィルタ認識及びハードウェアの最適化等を自動的に行うようにしてもよい。
【００５５】
また、省電力化を考慮すれば、前述のように常に前記自動認識機能を働かしておかなくても、例えば測定中等は省電力モードで、入力手段等によりフィルタの種類の認識の開始を指示する信号が入力された時や、フィルタの交換が自動認識された時等に、認識機能を通常モードに切り替えてもよい。
さらに、前記実施形態においては、ハードウェア設定の最適化として、サーボアンプのゲインを直接最適化した例について説明したが、これに限られるものでなく、これに代えて、まず、ファラデーセルの電流の最適化処理を行ってもよい。
【００５６】
以下に、ＣＰＵ等が実行可能なファラデーセル電流の最適化処理について図５、６を参照しつつ説明する。
まず、図６（Ｉ）に示すようなファラデーセルの電流を一定にした時の、測定波長とファラデーセル変調角度との関係を示すデータ、同図（II）に示すような変調角度を一定にした時の測定波長とファラデーセル電流との関係を示すデータを採取して、ＰＣカード３７２等の電流決定プログラム格納手段に格納しておく。
【００５７】
格納後、前記図５において、前述のようにしてＣＰＵ３５８が使用しているフィルタ３１６の種類を自動認識すると、電流最適化手段であるＣＰＵ３５８は、ＰＣカード３７２等の電流決定プログラム格納手段のプログラムに従い、その波長に最適なファラデーセル電流を決定する。
すなわち、フィルタ３１６の交換前後でファラデーセル３２０の変調角度が変わらないようなファラデーセル３２０の電流情報を決定するのである。
【００５８】
決定後、測定の開始を指示する測定開始指示信号が入力手段３６４等より入力されると、ＣＰＵ３５８は前述のようにして最適化された電流値でファラデーセル３２０等のハードウェアを制御している。
このように、波長設定用フィルタ３１６を交換した時、その交換前後でファラデーセル３２０の変調角度を一定に維持することにより、ＣＰＵ３５８は、光電子増倍管等の検出器３３６の電圧コントロールのみで、サーボアンプ３３０のゲインを最適に維持することもできる。
【００５９】
【発明の効果】
以上説明したように本発明にかかる多波長旋光計によれば、波長設定用フィルタの波長ごとに、所定の識別信号を出力可能なフィルタセンサ、およびフィルタセンサよりの識別信号を基に波長設定用フィルタの波長を認識する認識手段を備えるので、測定波長を変えるために波長設定用フィルタを交換すると、使用しているフィルタの種類、すなわち測定波長が自動的に認識される。
このため、そのような工夫のないものに比較し、測定波長を変えるために波長設定用フィルタを交換した時、測定波長の認識およびそれに適したハードウェア設定等のミスを大幅に低減して、分析結果の信頼性を確保することができる。また、操作容易化を図ることもできる。
なお、前記多波長旋光計において、ナトリウムランプ、水銀ランプ等の種類の異なる光源を同時搭載して、前記認識手段で得られた測定波長を基に、使用光源を切替手段により選択的に切り替えることにより、そのような工夫のないものに比較し、測定波長を変えて、光源を変える時の操作容易化を図ることができる。
また、前記多波長旋光計において、前記認識手段で得られた測定波長を出力可能な出力手段を備えることにより、使用者は測定波長を容易に確認することができる。
また、前記多波長旋光計において、前記認識手段で得られた測定波長を基に、ファラデーセルの電流やサーボアンプ等の駆動回路のゲイン等のハードウェア設定を最適化する手段を備えることにより、測定波長を変えるために波長設定用フィルタを交換すると、自動的にハードウェア設定が最適化される。
このため、そのような工夫のないものに比較し、測定波長に適したハードウェア設定等のミスを大幅に低減して、旋光度測定を、より高精度、高感度に行うことができる。
【図面の簡単な説明】
【図１】一般的な旋光計の概略構成を示すブロック図である。
【図２】本発明の一実施形態にかかる多波長旋光計において特徴的なホルダの説明図である。
【図３】図２に示すホルダを含むフィルタセンサ等の説明図である。
【図４】，
【図５】図３に示すフィルタセンサの変形例である。
【図６】ファラデーセルの電流を一定にした時の波長−変調角度特性および変調角度を一定にした時の波長−電流特性である。
【符号の説明】
１１０ａ，１１０ｂ…光源
１１６…波長設定用フィルタ
１４８…ホルダ
１５０…発光素子（フィルタセンサ）
１５２…受光素子（フィルタセンサ）
Ｄ１〜Ｄ４…認識孔（フィルタセンサ）
【図１】
0004057707.tif 000002
【図２】
0004057707.tif 000003
【図３】
0004057707.tif 000004
【図４】
0004057707.tif 000005
【図５】
0004057707.tif 000006
【図６】
0004057707.tif 000007